(57)【要約】【課題】ハードウェアの規模を過度に増大させずに、簡易な機能構成でフィルム映像の質感を保持する。【解決手段】フィルム判定部４０４が、入力された映像データがフィルム素材であるか否かを判定し、制御部４１２が、フィルム判定部４０４が判定した結果に基づいて、映像データのノイズを除去する強度を決定し、ノイズ除去部４０２が、制御部４１２が決定した強度に基づいて、映像データのノイズを除去することによって、ノイズ除去前後の映像データをそれぞれ保持するためにメモリの容量を増やしたり、ノイズ除去処理後の映像データにフィルムグレインを重畳するための特別な機能を備えたりせずとも、映像データがフィルム撮影された映像の映像データである場合には、ノイズ除去の度合いを低くして、映像データに含まれるフィルムグレインを残す。【選択図】        図１
2008035439.tif 000002
【特許請求の範囲】
【請求項１】
入力された映像データのノイズを除去するノイズ除去装置であって、
前記映像データがフィルム撮影された映像の映像データであるか否かを判定するフィルム判定手段と、
前記フィルム判定手段により判定された結果に基づいて、前記映像データのノイズを除去する度合いを決定する度合決定手段と、
前記度合決定手段により決定された度合いに基づいて、前記映像データのノイズを除去するノイズ除去手段と、
を備えたことを特徴とするノイズ除去装置。
【請求項２】
前記度合決定手段は、前記フィルム判定手段により前記映像データがフィルム撮影された映像の映像データでないと判定された場合に、該映像データのノイズを所定の度合いで除去すると決定し、一方、前記映像データがフィルム撮影された映像の映像データであると判定された場合には、該映像データのノイズを除去しないと決定することを特徴とする請求項１に記載のノイズ除去装置。
【請求項３】
前記度合決定手段は、前記フィルム判定手段により前記映像データがフィルム撮影された映像の映像データでないと判定された場合に、該映像データのノイズを除去する度合いを第一の度合いに決定し、一方、前記映像データがフィルム撮影された映像の映像データであると判定された場合には、該映像データのノイズを除去する度合いを、該第一の度合いより低い第二の度合いに決定することを特徴とする請求項１に記載のノイズ除去装置。
【請求項４】
入力された映像データのノイズを除去するノイズ除去制御方法であって、
前記映像データがフィルム撮影された映像の映像データであるか否かを判定するフィルム判定工程と、
前記フィルム判定工程により判定された結果に基づいて、前記映像データのノイズを除去する度合いを決定する度合決定工程と、
前記度合決定工程により決定された度合いに基づいて、前記映像データのノイズを除去するノイズ除去工程と、
を含んだことを特徴とするノイズ除去制御方法。
【請求項５】
入力された映像データのノイズを除去するノイズ除去制御プログラムであって、
前記映像データがフィルム撮影された映像の映像データであるか否かを判定するフィルム判定手順と、
前記フィルム判定手順により判定された結果に基づいて、前記映像データのノイズを除去する度合いを決定する度合決定手順と、
前記度合決定手順により決定された度合いに基づいて、前記映像データのノイズを除去するノイズ除去手順と、
をコンピュータに実行させることを特徴とするノイズ除去制御プログラム。
【発明の詳細な説明】
【技術分野】
【０００１】
この発明は、入力された映像データのノイズを除去するノイズ除去装置、ノイズ除去制御方法およびノイズ除去制御プログラムに関し、特に、ハードウェアの規模を過度に増大させずに、簡易な機能構成でフィルム映像の質感を保持することができるノイズ除去装置、ノイズ除去制御方法およびノイズ除去制御プログラムに関するものである。
【背景技術】
【０００２】
従来、液晶テレビ等の表示装置に映像を表示する際に用いられる技術として、インターレース／プログレッシブ変換（以下、Ｉ／Ｐ変換）等の高画質化技術がある。図９は、従来の高画質化技術を説明するための図である。同図は、Ｉ／Ｐ変換機能を備えた一般的なノイズ除去装置の一例を示している。
【０００３】
同図に示すノイズ除去装置１００は、映像データを入力して、その映像データに対してノイズ除去処理等の高画質化処理を行い、処理後の映像データを出力する装置であり、映像受信装置等から映像データを入力する映像入力部１０１と、入力した映像データに対してノイズ除去処理を行うノイズ除去部１０２と、ノイズ除去処理を行った映像データを一時的に格納するメモリ１０３と、映画等のフィルム素材（フィルム撮影された映像）の映像データに特徴的なパターンを検出（２：３検出または２：２検出）するフィルム判定部１０４と、プルダウンされたフィルム素材のパターンを考慮してＩ／Ｐ変換処理を行うＩ／Ｐ変換部１０５と、処理後の映像データを出力する映像出力部１０６とから構成されている。さらに、Ｉ／Ｐ変換部１０５には、フィルム素材の映像データのＩ／Ｐ変換処理を行うフィルム用Ｉ／Ｐ変換部１０５ａと、フィルム素材以外の映像データのＩ／Ｐ変換を行う一般用Ｉ／Ｐ変換部１０５ｂとを備えている。
【０００４】
一般的に、Ｉ／Ｐ変換等のデジタル信号処理はノイズの影響を大きく受けるため、同図に示すように、Ｉ／Ｐ変換部１０５によるＩ／Ｐ変換処理に先立って、ノイズ除去部１０２により、入力した映像データに対してノイズ除去処理が行われる。このノイズ除去処理は、ノイズのない、鮮明な美しい映像を表示することができるため、高画質化にも大きく寄与するものである。
【０００５】
そして、Ｉ／Ｐ変換部１０５は、フィルム判定部１０４によってノイズ除去後の映像データがフィルム素材であると判定された場合には、フィルム用Ｉ／Ｐ変換部１０５ａが当該入力映像に対してＩ／Ｐ変換処理を行い、一方、入力映像がフィルム素材でないと判定された場合には、一般用Ｉ／Ｐ変換部１０５ｂが当該入力映像に対してＩ／Ｐ変換処理を行う。
【０００６】
このように映像の高画質化が行われる一方、最近では、例えば映画のフィルム撮影のような、フィルムグレイン（フィルム特有の粒子）のある映像等、映像製作者側の意図する絵（映像）の「質感」を重視する声も高まってきている。しかし、前述したノイズ除去処理を行うと、映画等の映像が平坦な印象になってしまうという弊害がある。そこで、フィルム映像に含まれるフィルムグレインを残すために、さまざまな技術が考案されている。
【０００７】
例えば、特許文献１（特開２００４−３３６７０５号公報）では、図１０（特許文献１に係る技術を説明するための図）に示すように、ノイズ除去装置２００において、入力映像に対してノイズ除去処理を行った映像データと行う前の映像データとをそれぞれメモリに格納し（図１０では、メモリ２０３ａおよび２０３ｂの２つのメモリにそれぞれ格納する場合を図示）、入力映像がフィルム素材（映画等、フィルム撮影した映像データ）であった場合には、フィルムグレインが残っているノイズ除去前の映像を表示装置に表示し、一方、フィルム素材でなかった場合には、ノイズ除去後の映像を表示するように表示の切り換えを行う技術が開示されている。
【０００８】
また、特許文献２（特開２００５−８０３０１号公報）では、図１１（特許文献２に係る技術を説明するための図）に示すように、ノイズ除去装置３００において、ＦＧ成分検出部３０７と、遅延調整メモリ３０８と、ＦＧ用Ｉ／Ｐ変換部３０９とをさらに備え、ＦＧ成分検出部３０７が、入力映像に含まれているフィルムグレイン成分を検出して、その代表パターンを符号化し、ＦＧ用Ｉ／Ｐ変換部３０９が、入力映像がフィルム素材であった場合に、遅延調整メモリ３０８を介して取得したフィルムグレイン成分の代表パターンを復号化し、重畳部３１０が、複合化されたフィルムグレイン成分の代表パターンをノイズ除去後の映像に重畳させる技術が開示されている。
【０００９】
【特許文献１】特開２００４−３３６７０５号公報
【特許文献２】特開２００５−８０３０１号公報
【発明の開示】
【発明が解決しようとする課題】
【００１０】
しかしながら、特許文献１に記載された技術では、ノイズ除去処理を行う前の映像および行った後の映像をそれぞれメモリに格納するため、メモリの数または容量を増やす必要があり、ハードウェアの規模が増大するという問題がある。
【００１１】
また、特許文献２に記載された技術では、フィルムグレインの代表パターンを用いるために、入力映像に含まれていたフィルムグレインを完全に保持した状態で映像を表示することができないという問題や、フィルムグレインを検出するための機能や、フィルムグレインをノイズ除去処理後の映像に重畳するための機能などが必要となるために、ハードウェアの規模が増大するという問題がある。
【００１２】
そして、ハードウェアの規模が大きくなるという問題は、これまで述べた高画質化機能を実現する集積回路のチップ面積の増大や、消費電力の増大というさらなる問題につながる可能性がある。
【００１３】
このように、いかにしてハードウェアの規模を過度に増大させずに、簡易な機能構成でフィルム映像の質感を保持するかが、極めて重要な課題となっている。
【００１４】
この発明は、上述した従来技術による問題点を解消するためになされたものであり、ハードウェアの規模を過度に増大させずに、簡易な機能構成でフィルム映像の質感を保持することができるノイズ除去装置、ノイズ除去制御方法およびノイズ除去制御プログラムを提供することを目的とする。
【課題を解決するための手段】
【００１５】
上述した課題を解決し、目的を達成するため、本発明は、入力された映像データのノイズを除去するノイズ除去装置であって、前記映像データがフィルム撮影された映像の映像データであるか否かを判定するフィルム判定手段と、前記フィルム判定手段により判定された結果に基づいて、前記映像データのノイズを除去する度合いを決定する度合決定手段と、前記度合決定手段により決定された度合いに基づいて、前記映像データのノイズを除去するノイズ除去手段と、を備えたことを特徴とする。
【００１６】
また、本発明は、上記の発明において、前記度合決定手段は、前記フィルム判定手段により前記映像データがフィルム撮影された映像の映像データでないと判定された場合に、該映像データのノイズを所定の度合いで除去すると決定し、一方、前記映像データがフィルム撮影された映像の映像データであると判定された場合には、該映像データのノイズを除去しないと決定することを特徴とする。
【００１７】
また、本発明は、上記の発明において、前記度合決定手段は、前記フィルム判定手段により前記映像データがフィルム撮影された映像の映像データでないと判定された場合に、該映像データのノイズを除去する度合いを第一の度合いに決定し、一方、前記映像データがフィルム撮影された映像の映像データであると判定された場合には、該映像データのノイズを除去する度合いを、該第一の度合いより低い第二の度合いに決定することを特徴とする。
【００１８】
また、本発明は、入力された映像データのノイズを除去するノイズ除去制御方法であって、前記映像データがフィルム撮影された映像の映像データであるか否かを判定するフィルム判定工程と、前記フィルム判定工程により判定された結果に基づいて、前記映像データのノイズを除去する度合いを決定する度合決定工程と、前記度合決定工程により決定された度合いに基づいて、前記映像データのノイズを除去するノイズ除去工程と、を含んだことを特徴とする。
【００１９】
また、本発明は、入力された映像データのノイズを除去するノイズ除去制御プログラムであって、前記映像データがフィルム撮影された映像の映像データであるか否かを判定するフィルム判定手順と、前記フィルム判定手順により判定された結果に基づいて、前記映像データのノイズを除去する度合いを決定する度合決定手順と、前記度合決定手順により決定された度合いに基づいて、前記映像データのノイズを除去するノイズ除去手順と、をコンピュータに実行させることを特徴とする。
【発明の効果】
【００２０】
本発明によれば、入力された映像データがフィルム撮影された映像の映像データであるか否かを判定し、判定した結果に基づいて、映像データのノイズを除去する度合いを決定し、決定した度合いに基づいて、映像データのノイズを除去するよう構成したので、ノイズ除去前後の映像データをそれぞれ保持するためにメモリの容量を増やしたり、ノイズ除去処理後の映像データにフィルムグレインを重畳するための特別な機能を備えたりせずとも、映像データがフィルム撮影された映像の映像データである場合には、ノイズ除去の度合いを低くすることによって、映像データに含まれるフィルムグレインを残すことが可能になり、ハードウェアの規模を過度に増大させずに、簡易な機能構成でフィルム映像の質感を保持することができるという効果を奏する。
【００２１】
また、本発明によれば、入力された映像データがフィルム撮影された映像の映像データでないと判定した場合に、映像データのノイズを所定の度合いで除去すると決定し、一方、入力された映像データがフィルム撮影された映像の映像データであると判定した場合には、映像データのノイズを除去しないと決定するよう構成したので、フィルム撮影された映像の映像データについては、ノイズを除去して映像を高画質化し、フィルム撮影された映像の映像データについては、ノイズを除去せずにフィルムグレインを残すことが可能になり、映像データの種類に応じて高画質化とフィルムグレインの残置とを適応的に切り替えることができるという効果を奏する。
【００２２】
また、本発明によれば、入力された映像データがフィルム撮影された映像の映像データでないと判定した場合に、映像データのノイズを除去する度合いを第一の度合いに決定し、一方、映像データがフィルム撮影された映像の映像データであると判定した場合には、映像データのノイズを除去する度合いを、第一の度合いより低い第二の度合いに決定するよう構成したので、第二の度合いを調整することによって、ノイズの一部を除去しながら、同時に、フィルムグレインも保持することができるという効果を奏する。また、第一の度合いとの差が極端に大きくならないように第二の度合いを設定することによって、完全にノイズ除去を行っている場合との違いを目立たせずに、ある程度のフィルムグレインを保持することができるという効果も奏する。
【発明を実施するための最良の形態】
【００２３】
以下に添付図面を参照して、この発明に係るノイズ除去装置、ノイズ除去制御方法およびノイズ除去制御プログラムの好適な実施例を詳細に説明する。なお、この実施例により本発明が限定されるものではない。
【実施例１】
【００２４】
本実施例１に係るノイズ除去装置は、映像受信装置等から映像データを入力し、入力した映像データに対してノイズ除去処理やＩ／Ｐ変換処理などの高画質化処理を行い、処理後の映像データを表示装置に出力するノイズ除去装置である。さらに、本実施例１に係るノイズ除去装置は、入力した映像データを随時チェックして、フィルム素材の映像データが入力されているか否かを判定し、フィルム素材の映像データが入力されていると判定した場合には、映像データに対する高画質化処理を停止することによって、フィルムグレインが保持された映像を出力することを特徴とするものである。
【００２５】
まず、本実施例１に係るノイズ除去装置の構成について説明する。図１は、本実施例１に係るノイズ除去装置の構成を示す機能ブロック図である。同図に示すように、このノイズ除去装置４００は、映像入力部４０１と、ノイズ除去部４０２と、メモリ４０３と、フィルム判定部４０４と、Ｉ／Ｐ変換部４０５と、映像出力部４０６と、平滑部４１１ａおよび４１１ｂと、制御部４１２とを有する。
【００２６】
映像入力部４０１は、映像受信装置等から各種の映像データを入力する処理部である。フィルム素材（フィルム撮影された映像）の映像データや、ビデオ素材（ＮＴＳＣ（National Television Standards Committee）方式やハイビジョンなどでビデオ撮影された映像）の映像データなどを入力する。
【００２７】
ノイズ除去部４０２は、映像入力部４０１によって入力された映像データに対してノイズ除去処理を行う処理部である。このノイズ除去処理とは、映像データに含まれているノイズ成分を検出し、検出したノイズ成分を除去する処理であり、映像を美しく鮮明に表示するために行われる処理である。
【００２８】
このノイズ除去処理によって、処理対象の映像データがフィルム素材であった場合には、当該映像データに含まれるフィルムグレインが除去される可能性がある。そこで、ノイズ除去部４０２は、後述する制御部４１２からの指示に基づいて、ノイズ除去処理を行うか否かを切り替える。すなわち、ノイズ除去部４０２は、制御部４１２からノイズ除去処理を停止するように指示された場合には、映像データに対するノイズ除去処理を停止し、一方、ノイズ除去処理を再開するように指示された場合には、映像データに対するノイズ除去処理を再開する。
【００２９】
メモリ４０３は、ノイズ除去部４０２によってノイズ除去処理が行われた映像データを一時的に格納する記憶部である。
【００３０】
フィルム判定部４０４は、メモリ４０３に格納された映像データを順次読み出して、フィルム素材の映像データが入力されたか否かを判定する処理部である。具体的には、このフィルム判定部４０４は、映画等のフィルム素材に特徴的なパターンを検出する処理部であり、例えば、２：３プルダウン方式で変換されたパターンを検出する。２：３プルダウン方式とは、１秒間に２４フレーム（コマ）撮影されるフィルム素材の映像データを、１秒間に６０フレームを表示するインターレース方式の映像データに変換する方式であり、同じフレームが２枚、次のフレームが３枚、次のフレームが２枚、さらに次のフレームが３枚・・・と、続けて表示されるように変換する。そこで、フィルム判定部４０４は、映像データをメモリ４０３から順次読み出しながら、映像データに含まれる、連続するフレームを２枚ずつ順次比較し、同じフレームが２枚続いたことを検出した場合には、入力された映像データがフィルム素材であると判定する。
【００３１】
そして、フィルム判定部４０４は、入力された映像データがフィルム素材であると判定した場合には、それを制御部４１２に対して通知するとともに、映像出力部４０６を制御して、フィルム用のＩ／Ｐ変換処理が行われた映像データを出力するよう指示する。一方、フィルム判定部４０４は、入力された映像データがフィルム素材でないと判定した場合には、それを制御部４１２に対して通知するとともに、映像出力部４０６を制御して、一般用のＩ／Ｐ変換処理が行われた映像データを出力するように指示する。
【００３２】
Ｉ／Ｐ変換部４０５は、メモリ４０３に格納された映像データを順次読み出し、読み出した映像データに対してＩ／Ｐ変換処理を行う処理部であり、フィルム用Ｉ／Ｐ変換部４０５ａと、一般用Ｉ／Ｐ変換部４０５ｂとを備える。ここで、Ｉ／Ｐ変換処理とは、インターレース方式の映像データを、プログレッシブ方式の映像データに変換する処理である。
【００３３】
インターレース方式では、一つのフレームを、当該フレームに含まれる画素の行のうち、奇数行のみを表示するフレーム（奇数フィールド）と、偶数行のみを表示するフレーム（偶数フィールド）とに分割し、その上で、１秒間に６０枚のフレーム（奇数フィールドが３０枚、偶数フィールドが３０枚）が表示される。一方、プログレッシブ方式では、間欠しない全ての画素の行を含んだフレームが１秒間に６０フレーム表示される。
【００３４】
そのため、かかるＩ／Ｐ変換処理では、インターレース方式の奇数フィールドおよび偶数フィールドに対して、それぞれ、間欠している偶数行および奇数行を補間することによって、１秒間に６０枚のプログレッシブ方式のフレームを生成する処理が行われる。ここで、間欠している行を補完する処理は、静止画部分と動画部分とで異なり、静止画部分については、一つ前のフィールドの行を用いて行が補間され、動画部分については、同じフィールド内の上下の行の画素に基づいて新たな行を生成することによって、行が補間される。
【００３５】
フィルム用Ｉ／Ｐ変換部４０５ａは、メモリ４０３に格納された映像データを順次読み出し、読み出した映像データに対して、フィルム素材の映像データに適したＩ／Ｐ変換処理を行う処理部である。フィルム素材の映像データは、そのままＩ／Ｐ変換処理を行うと、画質の劣化や、映像に不自然な動きが生じる場合がある。これは、フィルム素材の映像データでは、同じ映像のフレームが２枚、３枚と交互に続いているので、Ｉ／Ｐ変換処理を行う際に、例えば、単純に一つ前のフィールドの行を用いて行を補間した場合には、もともとは別のフレームに含まれていた行で補間が行われた、つぎはぎのフレームが出てくるからである。そのため、フィルム用Ｉ／Ｐ変換部４０５ａは、メモリ４０３から読み出した映像データを、いったん、もとの２４枚のフレームに戻した上で、改めて６０枚のプログレッシブ方式のフレームに変換する。
【００３６】
一般用Ｉ／Ｐ変換部４０５ｂは、メモリ４０３に格納された映像データを順次読み出し、読み出した映像データに対してフィルム素材以外の映像データに適したＩ／Ｐ変換処理を行う処理部である。この一般用Ｉ／Ｐ変換部４０５ｂは、メモリ４０３から読み出した映像データに対して、前述した行の補間処理を行うことによって、当該映像データをプログレッシブ方式のフレームに変換する。
【００３７】
平滑部４１１ａおよび４１１ｂは、それぞれ、フィルム用Ｉ／Ｐ変換部４０５ａおよび一般用Ｉ／Ｐ変換部４０５ｂによってＩ／Ｐ変換が行われた映像データに対して平滑化処理を行う処理部である。ここでいう平滑化処理とは、例えば、映像の明るい部分と暗い部分の明暗の差を適宜補正する処理や、人の顔の映像など特定の映像に対して色調の変化を滑らかにする処理などのことである。
【００３８】
この平滑化処理によって、処理対象の映像データがフィルム素材であった場合には、当該映像データに含まれるフィルムグレインが除去される可能性がある。そこで、平滑部４１１ａは、後述する制御部４１２からの指示に基づいて、平滑化処理を行うか否かを切り替える。すなわち、平滑部４１１ａは、制御部４１２から平滑化処理を停止するように指示された場合には、映像データに対する平滑化処理を停止し、一方、平滑化処理を再開するように指示された場合には、映像データに対する平滑化処理を再開する。
【００３９】
映像出力部４０６は、各種処理を行った後の映像データを表示装置等に出力する処理部である。この映像出力部４０６は、制御部４１２からフィルム素材の映像データを出力するように指示された場合は、平滑部４１１ａによって平滑化処理が行われた映像データを出力し、フィルム素材でない映像データを出力するように指示された場合は、平滑部４１１ｂによって平滑化処理が行われた映像データを出力する。
【００４０】
制御部４１２は、入力された映像データに対してノイズ除去処理を行うか否かを適応的に制御する処理部である。具体的には、この制御部４１２は、フィルム素材の映像データが入力されたことがフィルム判定部４０４から通知されると、ノイズ除去部４０２に対してノイズ除去処理を停止するように指示し、平滑部４１１ａに対して平滑化処理を停止するように指示し、さらに、映像出力部４０６に対してフィルム素材の映像データを出力するように指示する。
【００４１】
一方、フィルム素材の映像データが入力されたことがフィルム判定部４０４から通知された場合には、制御部４１２は、ノイズ除去部４０２に対してノイズ除去処理を再開するように指示し、また、平滑部４１１ａに対して平滑化処理を再開するように指示し、さらに、映像出力部４０６に対してフィルム素材の映像データを出力するように指示する。
【００４２】
このように、制御部４１２が、入力された映像データがフィルム素材でないと判定した場合に、映像データのノイズ除去を再開し、一方、入力された映像データがフィルム素材であると判定した場合には、映像データのノイズ除去を停止するので、フィルム撮影された映像の映像データについては、ノイズを除去して映像を高画質化し、フィルム撮影された映像の映像データについては、ノイズを除去せずにフィルムグレインを残すことが可能になり、映像データの種類に応じて高画質化とフィルムグレインの残置とを適応的に切り替えることができる。
【００４３】
なお、ここでは、制御部４１２が、フィルム判定部４０４から通知されるフィルム素材の判定結果に基づいて、ノイズ除去部４０２および平滑部４１１ａを制御することとしたが、ノイズ除去装置４００の外部等から入力されたフィルム素材の判定結果に基づいて、これらを制御するようにしてもよい。
【００４４】
また、ここでは、制御部４１２が、ノイズ除去部４０２および平滑部４１１ａを制御する場合を説明したが、ノイズ除去部４０２の制御は行わず、ノイズ除去処理のようにフィルムグレインを除去する可能性がある他の１つまたは複数の処理を制御するように構成することも可能である。
【００４５】
次に、本実施例１に係るノイズ除去装置４００の処理手順について説明する。図２は、本実施例１に係るノイズ除去装置４００の処理手順を示すフローチャートである。同図に示すように、このノイズ除去装置４００は、映像入力部４０１が映像データを入力すると（ステップＳ１０１）、ノイズ除去部４０２が、制御部４１２からノイズ除去処理を停止するように指示されていない場合には（ステップＳ１０２，Ｎｏ）、入力された映像データに対してノイズ除去処理を行い（ステップＳ１０３）、処理後の映像データをメモリ４０３に格納する。一方、制御部４１２からノイズ除去処理を停止するように指示されていた場合には（ステップＳ１０２，Ｙｅｓ）、ノイズ除去部４０２は、ノイズ除去処理を行わずに、入力された映像データをメモリ４０３に格納する。
【００４６】
続いて、フィルム判定部４０４が、メモリ４０３に格納された映像データを順次読み出して、入力された映像データがフィルム素材であるか否かを判定する（ステップＳ１０４）。
【００４７】
そして、映像データがフィルム素材であると判定された場合には（ステップＳ１０５，Ｙｅｓ）、制御部４１２からの指示に基づいて、ノイズ除去部４０２がノイズ除去処理を停止し、平滑部４１１ａが平滑化処理を停止する（ステップＳ１０６）。
【００４８】
一方、映像データがフィルム素材でないと判定された場合には（ステップＳ１０５，Ｎｏ）、制御部４１２からの指示に基づいて、ノイズ除去部４０２がノイズ除去処理を再開し、平滑部４１１ａが平滑化処理を再開する（ステップＳ１０７）。
【００４９】
また、これらノイズ除去処理および平滑化処理の制御が行われるとともに、フィルム用Ｉ／Ｐ変換部４０５ａおよび一般用Ｉ／Ｐ変換部４０５ｂが、メモリ４０３に格納されている映像データを読み出し、読み出した映像データに対してＩ／Ｐ変換処理を行い（ステップＳ１０８）、さらに、平滑部４１１ａおよび４１１ｂが、当該映像データに対して平滑化処理を行う（ステップＳ１０９）。
【００５０】
そして、映像出力部４０６が、制御部４１２からの指示に基づいて、平滑部４１１ａまたは４１１ｂのいずれか一方から、各種処理が行われた後の映像データを表示装置等に出力する（ステップＳ１１０）。
【００５１】
なお、ここでは、フィルム判定部４０４が、ノイズ除去部４０２によってノイズ除去処理が行われた後の映像データを、メモリ４０３を経由して入力し、フィルム素材の判定を行うこととしたが、映像入力部４０１によって入力された映像データを、メモリ４０３を経由して直接入力し、ノイズ除去部４０２によってノイズ除去処理が行われる前にフィルム素材の判定を行うよう構成してもよい。この場合、ノイズ除去処理は、メモリ４０３に格納された映像データを順次読み出し、読み出した映像データに対してノイズ変換処理を行うようにする。なお、いずれの場合においても、制御部４１２は、フィルム判定部４０４による判定の結果に基づいてノイズ除去部４０２を制御する。
【００５２】
上述してきたように、本実施例１では、フィルム判定部４０４が、入力された映像データがフィルム素材であるか否かを判定し、制御部４１２が、フィルム判定部４０４が判定した結果に基づいて、映像データのノイズを除去する強度を決定し、ノイズ除去部４０２が、制御部４１２が決定した強度に基づいて、映像データのノイズを除去するので、ノイズ除去前後の映像データをそれぞれ保持するためにメモリの容量を増やしたり、ノイズ除去処理後の映像データにフィルムグレインを重畳するための特別な機能を備えたりせずとも、映像データがフィルム撮影された映像の映像データである場合には、ノイズ除去の強度を低くして、映像データに含まれるフィルムグレインを残すことが可能になり、ハードウェアの規模を過度に増大させずに、簡易な機能構成でフィルム映像の質感を保持することができる。
【実施例２】
【００５３】
ところで、上記実施例１では、入力された映像データがフィルム素材であることを判定した場合に、ノイズ除去処理を停止することによって、フィルムグレインを保持する場合について説明した。しかしながら、ノイズ除去処理を完全に停止してしまうのではなく、ノイズ除去処理の強度を所定の度合いまで弱めることによって、ノイズを適度に除去しつつ、フィルムグレインを保持するようにしてもよい。
【００５４】
そこで、以下では、実施例２として、入力された映像データがフィルム素材であることを判定した場合について説明する。なお、ここでは、図１に示したノイズ除去部４０２がノイズ除去処理の強度を変化させ、制御部４１２がノイズ除去部４０２を制御する場合について説明し、同図に示した他の機能部については、説明を省略する。
【００５５】
図３は、本実施例２に係るノイズ除去処理の強度の変化を説明するための図である。同図において、縦軸はノイズ除去処理の強度を示しており、横軸は時間を示している。なお、同図において、「ｘ」および「ｙ」は、それぞれ、ノイズ除去処理の強度の度合いを表す値（ｘ＜ｙ）である。
【００５６】
制御部４１２は、フィルム素材の映像データが入力されたことがフィルム判定部４０４から通知されると、ノイズ除去部４０２に対してノイズ除去処理の強度を変更するように指示すると同時に、所定の変更後の強度を引き渡す。例えば、制御部４１２は、図３に示したｘをノイズ除去部４０２に対して引き渡す。
【００５７】
ノイズ除去部４０２は、制御部４１２からノイズ除去処理の強度を変更するように指示されると、同時に引き渡される強度に基づいて、ノイズ除去処理の強度を変化させる。例えば、ノイズ除去部４０２は、制御部４１２から強度としてｘが引き渡されると、図３の（１）に示すように、ノイズ除去処理の強度をｙからｘに変化させる。
【００５８】
また、制御部４１２が、ノイズ除去処理の強度を変更するように指示すると同時に、所定の変更後の強度および所定の設定変更時間をノイズ除去部４０２に対して引き渡し、これを受け取ったノイズ除去部４０２が、当該所定の設定変更時間をかけて、当該所定の変更後の強度に、連続的または段階的に変化させてもよい。例えば、ノイズ除去部４０２は、同図の（２）に示すように、設定変更時間「Ｔ」をかけて、緩やかにｘからｙまで強度を変化させるか、または、同図の（３）に示すように、段階的にｘからｙまで強度を変化させる。
【００５９】
このように、制御部４１２が、映像データのノイズを除去する強度を変更する場合に、所定の設定変更時間で変更前の強度から変更後の強度へ変化するように、徐々に強度を変更するので、画質が急に変化することを防ぐことが可能になり、画質の変化の不自然さを少なくすることができる。
【００６０】
上述してきたように、本実施例２では、制御部４１２が、入力された映像データがフィルム素材でないと判定した場合に、映像データのノイズを除去する強度を第一の強度（例えば、図３に示したｘ）に設定し、一方、映像データがフィルム素材であると判定した場合には、映像データのノイズを除去する強度を、第一の強度より低い第二の強度（例えば、図３に示したｙ）に設定するので、第二の強度を調整することによって、ノイズの一部を除去しながら、同時に、フィルムグレインも保持することができるという効果を奏する。また、第一の強度との差が極端に大きくならないように第二の強度を設定することによって、完全にノイズ除去を行っている場合との違いを目立たせずに、ある程度のフィルムグレインを保持することができる。
【００６１】
なお、上記実施例１および２では、入力された映像データがフィルム素材であることを判定した場合に、ただちにノイズ除去処理の強度を変化させることとしたが、所定の時間（以下、反応設定時間と呼ぶ）内でフィルム素材であるか否かの判定結果が変化する場合は、ノイズ除去処理の制御を行わないようにしてもよい。すなわち、図１に示した制御部４１２が、フィルム判定部４０４から通知されるフィルム素材の判定結果を保持し、かかる反応設定時間内で判定結果が変化しなかった場合には、ノイズ除去部４０２に対してノイズ除去の停止を指示する。
【００６２】
このように、フィルム判定部４０４が、所定の反応設定時間が経過する間に判定結果が変化しなかった場合に、その判定結果に基づいて、映像データのノイズを除去する強度を決定するので、映像データの判定結果が短い時間内で変動する場合に、画質が頻繁に変化することを防ぐことが可能になり、画質の変化の不自然さを少なくすることができる。
【実施例３】
【００６３】
ところで、上記実施例２では、入力された映像データがフィルム素材であるか否かを判定し、その判定結果に応じて、ノイズ除去処理の強度を変化させる場合について説明した。しかしながら、入力された映像データがフィルム素材であるか否かを判定する際に、当該映像データがフィルム素材であることの確信度を算出し、その確信度に応じてノイズ除去処理の強度を変化させてもよい。
【００６４】
そこで、以下では、実施例３として、入力された映像データがフィルム素材であることの確信度に応じてノイズ除去処理の強度を変化させる場合について説明する。なお、ここでは、図１に示したフィルム判定部４０４がフィルム素材の確信度を算出し、ノイズ除去部４０２がノイズ除去処理の強度を変化させ、制御部４１２がフィルム判定部４０４およびノイズ除去部４０２を制御する場合について説明し、同図に示した他の機能部については、説明を省略する。
【００６５】
フィルム判定部４０４は、映像データをメモリ４０３から順次読み出しながら、映像データに含まれる、連続するフレームを２枚ずつ順次比較し、２枚のフレームが同じである確信度を算出する。例えば、フィルム判定部４０４は、比較対象の２枚のフレームに含まれる画素を１つずつ比較し、１フレームに含まれる画素数に対する、一致した画素数の割合を算出し、この割合を確信度とする。そして、フィルム判定部４０４は、算出した確信度を、フィルム素材の判定結果として制御部４１２に通知する。
【００６６】
制御部４１２は、フィルム判定部４０４からフィルム素材の確信度が通知されると、通知された確信度に基づいてノイズ除去処理の強度を決定し、ノイズ除去部４０２に対して、ノイズ除去処理の強度を変更するように指示すると同時に、決定した強度を引き渡す。
【００６７】
図４は、本実施例３に係るノイズ除去処理の強度の変化を説明するための図（１）であり、図５は、本実施例３に係るノイズ除去処理の強度の変化を説明するための図（２）である。各図において、縦軸はノイズ除去処理の強度を示しており、横軸はフィルム素材の確信度を示している。なお、各図において、「ａ」，「ｂ」，「ｃ」，「ｄ」および「ｅ」は、それぞれ、ノイズ除去処理の強度の度合いを表す値（０＜ａ＜ｂ＜ｃ＜ｄ＜ｅ）であり、「Ａ」，「Ｂ」，「Ｃ」，「Ｄ」は、それぞれ、フィルム素材の確信度を表す値（０［％］＜Ａ＜Ｂ＜Ｃ＜Ｄ＜１００［％］）である。
【００６８】
例えば、制御部４１２は、図４の（４）に示すように、フィルム素材の確信度が０％である場合にノイズ除去処理の強度をｅとし、フィルム素材の確信度が１００％である場合にノイズ除去処理の強度を０とし、フィルム素材の確信度が大きくなるにつれて、滑らかに小さくなるように、ノイズ除去処理の強度を決定する。
【００６９】
また、ここで制御部４１２は、図４の（５）に示すように、フィルム素材の確信度が０，Ａ，Ｂ，Ｃ，Ｄ，１００と大きくなるにつれて、ｅ，ｄ，ｃ，ｂ，ａ，０と、段階的にノイズ除去処理の強度を決定してもよい。
【００７０】
さらに、制御部４１２は、フィルム素材の確信度に所定の閾値（以下、判定閾値と呼ぶ）を設定し、当該判定閾値の前後では変化率が小さくなるように、ノイズ除去処理の強度を決定してもよい。例えば、図５の（６）に示すように、判定閾値をＢとＣの間に設定した場合には、ノイズ除去部４０２は、Ｂ−Ｃ間では、他の範囲に比べて変化率が緩やかになるように、ノイズ除去処理の強度を決定する。
【００７１】
なお、これらノイズ除去処理の強度と確信度との対応付けは、例えば、図１には図示していない記憶部に、設定情報として記憶される。
【００７２】
このように、確信度の領域が、確信度が高い高確信度領域と、確信度が低い低確信度領域と、それらの中間の中確信度領域とに分けられており、制御部４１２が、中確信度領域におけるノイズ除去の強度の変化率が高確信度領域および低確信度領域におけるノイズ除去の強度の変化率よりも低くなるようにノイズ除去の強度が設定された設定情報に基づいて、第二の強度を決定するので、映像データがフィルム撮影された映像であるか否かの判定が明確でない範囲では画質の変化が小さくなるように制御することが可能になり、画質の変化の不自然さを少なくすることができる。
【００７３】
ノイズ除去部４０２は、制御部４１２からノイズ除去処理の強度を変更するように指示されると、同時に引き渡される強度に基づいて、ノイズ除去処理の強度を変化させる。
【００７４】
上述してきたように、本実施例３では、フィルム判定部４０４が、入力された映像データがフィルム素材である可能性を示す確信度を算出し、制御部４１２が、フィルム判定部４０４が算出した確信度に基づいて、フィルム素材に対するノイズ除去の強度を設定するよう構成したので、映像データがフィルム撮影された映像であるか否かの判定に誤差が生じて、映像データの判定結果が変動する場合でも、その変動に応じてノイズ除去の強度を自然に変えることが可能になり、画質の変化の不自然さを少なくすることができる。
【００７５】
なお、上記実施例２および３では、ノイズ除去処理の強度を変化させる場合について説明したが、同様の制御方法を用いて、制御部４１２が、図１に示した平滑部４１１ａにおいて行われる平滑化処理の強度を変化させるようにしてもよい。
【００７６】
すなわち、制御部４１２が、入力された映像データがフィルム撮影された映像であるか否かの判定結果に基づいて、映像データを平滑化する場合の平滑化の強度を決定し、決定した強度に基づいて、映像データの平滑化を行うようにする。これにより、平滑化した後の映像データにフィルムグレインを重畳するための特別な機能を備えたりせずとも、映像データがフィルム撮影された映像である場合には、映像データの平滑化の強度を低くすることによって、映像データに含まれるフィルムグレインを完全に残すことが可能になり、ハードウェアの規模を過度に増大させずに、簡易な機能構成でフィルム映像の質感を保持することができる。
【実施例４】
【００７７】
ところで、上記実施例１、２および３では、ノイズ除去装置４００において行われる、フィルムグレインを保持するための各種処理および各種制御について説明してきたが、表示装置等に操作画面を表示することによって、これまでに説明した各種処理および各種制御に関する設定情報を利用者が任意に変更することができるようにしてもよい。
【００７８】
そこで、以下では、実施例４として、利用者が各種設定を行うための操作画面について説明する。なお、ここでは、図１に示した制御部４１２が、かかる操作画面を表示装置に表示し、利用者からの入力に基づいて各種設定情報を変更する場合を説明する。図６は、本実施例４に係る操作画面の一例を示す図である。同図に示すように、この操作画面では、「（１）ＦＧ（フィルムグレイン）保持機能」、「（２）ＦＧ保持強度」、「（３）適応的ＦＧ保持機能」、「（４）設定変化の滑らかさ」、「（５）設定変更速度」、「（６）ＦＧ反応速度設定」および「（７）優先度設定」の７つの設定項目を変更することができる。以下に、各設定項目について説明する。
【００７９】
「（１）ＦＧ保持機能」は、実施例１、２および３で説明したフィルムグレインを保持するための制御を行うか否かを利用者が選択するための設定項目であり、図６に示すように、「ＯＮ」または「ＯＦＦ」のいずれかを選択することができる。
【００８０】
制御部４１２は、ここで「ＯＮ」が選択された場合には、フィルム判定部４０４によるフィルム素材の判定結果に基づいて、ノイズ除去処理および平滑化処理の停止／再開または強度の変更等、フィルムグレインを保持するための制御を行う。一方、「ＯＦＦ」が選択された場合には、制御部４１２は、かかるフィルムグレインを保持するための制御を行わない。
【００８１】
「（２）ＦＧ保持強度」は、実施例２で説明したノイズ除去処理の強度変更における変更後の強度（例えば、図４に示したｘ値）を利用者が設定するための設定項目であり、図６に示すように、「強（保持する）」から「弱（保持しない）」の間で任意の設定値を設定することができる。この設定値は、ノイズ除去処理の強度に対応付けられており、「強（保持する）」が設定された場合には、ノイズ除去処理の強度は０になり、「弱（保持しない）」に近付くにつれて、ノイズ除去処理の強度は大きくなる。
【００８２】
制御部４１２は、フィルム素材の映像データが入力されたことがフィルム判定部４０４から通知された場合には、ノイズ除去部４０２に対してノイズ除去処理の強度を変更するように指示すると同時に、ここで設定されたノイズ除去処理の強度を引き渡す。
【００８３】
「（３）適応的ＦＧ保持機能」は、実施例３で説明した、フィルム素材の確信度に基づいたノイズ除去処理の強度変更を行うか否かを利用者が選択するための設定項目であり、図６に示すように、「ＯＮ」または「ＯＦＦ」のいずれかを選択することができる。
【００８４】
制御部４１２は、ここで「ＯＮ」が選択された場合には、確信度に基づいてノイズ除去処理の強度を決定し、その強度に基づいてノイズ除去処理の強度を変更するよう、ノイズ除去部４０２を制御する。一方、「ＯＦＦ」が選択された場合には、確信度に基づいたノイズ除去処理の強度変更の制御を行わない。
【００８５】
「（４）設定変化の滑らかさ」は、実施例２および３で説明したノイズ除去部４０２によるノイズ除去処理の強度変更を、滑らかに行うか、または段階的に行うかを利用者が選択するための設定項目であり、図６に示すように、「滑らかに変更」または「段階的に変更」のいずれかを選択することができる。
【００８６】
制御部４１２は、ここで選択された設定値に基づいて、ノイズ除去部４０２に対してノイズ除去処理の強度を変更するように指示する際に、滑らかに変更するか、段階的に変更するかを併せて指示する。
【００８７】
「（５）設定変更速度」は、実施例２で説明した設定変更時間（強度を緩やかに、または段階的に変化させる場合に、変化が終わるまでにかける時間（図３の（２）に示した「Ｔ」））を、利用者が設定するための設定項目であり、図６に示すように、「速い」から「遅い」の間で任意の設定値を設定することができる。この設定値は、設定変更時間の長さに対応付けられており、「速い」が設定された場合には、設定変更時間は０になり、「遅い」に近付くにつれて、設定変更時間は長くなる。
【００８８】
制御部４１２は、フィルム判定部４０４から通知されるフィルム素材の判定結果を保持し、ここで設定された設定変更時間をかけてノイズ除去の強度を変更するように、ノイズ除去部４０２に対して指示する。
【００８９】
「（６）ＦＧ反応速度設定」は、実施例２で説明した反応設定時間（フィルム素材の判定結果が所定の時間内で変化する場合はノイズ除去処理の制御を行わないように制御するための、所定の時間）を、利用者が設定するための設定項目であり、図６に示すように、「速い」から「遅い」の間で任意の設定値を設定することができる。この設定値は、反応設定時間の長さに対応付けられており、「速い」が設定された場合には、反応設定時間は０になり、「遅い」に近付くにつれて、反応設定時間は長くなる。
【００９０】
制御部４１２は、フィルム判定部４０４から通知されるフィルム素材の判定結果を保持し、ここで設定された反応設定時間内で判定結果が変化しなかった場合には、ノイズ除去部４０２に対してノイズ除去の停止を指示する。
【００９１】
「（７）優先度設定」は、ノイズ除去処理や平滑化処理と、フィルムグレインの保持との優先度を利用者が設定するための設定項目であり、ノイズ除去処理については、「ノイズ除去優先」と「ＦＧ保持優先」との間で任意の設定値を設定することができ、平滑化処理については、「平滑化優先」と「ＦＧ保持優先」との間で任意の設定値を設定することができる。ノイズ除去処理の設定値は、ノイズ除去処理の強度に対応付けられており、「ＦＧ保持優先」が設定された場合には、ノイズ除去処理の強度は０になり、「ノイズ除去優先」に近付くにつれてノイズ除去処理の強度は大きくなる。また、平滑化処理の設定値は、平滑化処理の強度に対応付けられており、「ＦＧ保持優先」が設定された場合には、平滑化処理の強度は０になり、「平滑化優先」に近付くにつれて平滑化処理の強度は大きくなる。
【００９２】
制御部４１２は、フィルム素材の映像データが入力されたことがフィルム判定部４０４から通知された場合には、ノイズ除去部４０２に対してノイズ除去処理の強度を変更するように指示すると同時に、ここで設定されたノイズ除去処理の強度を引き渡し、さらに、平滑部４１１ａに対して平滑化処理の強度を変更するように指示すると同時に、ここで設定された平滑化処理の強度を引き渡す。
【００９３】
なお、ここで説明した操作画面は、図１には図示していない設定情報管理部によって表示装置等に表示され、この操作画面から設定された各種設定値は、同じく設定情報管理部によって、図１には図示していない設定情報テーブルに保持される。そして、制御部４１２は、当該設定情報テーブルから必要な設定値を取得し、上記で説明した各種処理および各種制御を行う。
【００９４】
次に、本実施例４に係る操作画面および設定情報管理部の処理手順について説明する。図７は、本実施例４に係る操作画面および設定情報管理部の処理手順を示すフローチャートである。利用者から設定情報の変更を要求されると、設定情報管理部は、操作画面を表示装置等に表示するとともに、同図に示すように、まず、各種設定値を所定の標準値に設定する（ステップＳ２０１）。
【００９５】
続いて、利用者によって各種設定情報が入力されると（ステップＳ２０２）、設定情報管理部は、設定項目ごとに入力された設定情報を確認し、その内容に基づいて、各設定情報を設定情報テーブルに反映する。
【００９６】
まず、設定情報管理部は、「（１）ＦＧ保持機能」の設定項目がＯＮであるか否かを確認し、ＯＮでなかった場合には（ステップＳ２０３，Ｎｏ）、ＯＦＦの設定値を設定情報テーブルに設定して（ステップＳ２０４）、他の設定項目の設定値は反映せず、処理を終了する。一方、「（１）ＦＧ保持機能」の設定項目がＯＮであった場合には（ステップＳ２０３，Ｙｅｓ）、設定情報管理部は、以下の処理を行う。
【００９７】
設定情報管理部は、「（２）ＦＧ保持強度」の設定項目が変更されているか否かを確認し、変更されている場合には（ステップＳ２０５，Ｙｅｓ）、入力された設定値を設定情報テーブルに反映するとともに、入力された設定値に基づいて、「（７）優先度設定」の設定項目を自動変更する（ステップＳ２０６）。すなわち、「（２）ＦＧ保持強度」の設定項目で「強（保持する）」が設定されていた場合には、「（７）優先度設定」の設定項目のノイズ除去処理および平滑化処理の優先度を「ＦＧ保持優先」に変更し、「（２）ＦＧ保持強度」の設定項目で「弱（保持しない）」が設定されていた場合には、「（７）優先度設定」の設定項目のノイズ除去処理および平滑化処理の優先度を、それぞれ「ノイズ除去優先」および「平滑化優先」に変更する。一方、「（２）ＦＧ保持強度」の設定項目が変更されていない場合には（ステップＳ２０５，Ｎｏ）、設定情報管理部は、設定値の設定情報テーブルへの反映を行わない。
【００９８】
続いて、設定情報管理部は、「（７）優先度設定」の設定項目が変更されているか否かを確認し、変更されている場合には（ステップＳ２０７，Ｙｅｓ）、入力された設定値を設定情報テーブルに反映するとともに、「（２）ＦＧ保持強度」の設定項目を自動変更する（ステップＳ２０８）。すなわち、「（７）優先度設定」の設定項目でノイズ除去処理または平滑化処理の優先度が「ＦＧ保持優先」と設定されていた場合には、「（２）ＦＧ保持強度」の設定項目を「強（保持する）」に変更し、「（７）優先度設定」の設定項目でノイズ除去処理または平滑化処理の優先度が「ノイズ除去優先」または「平滑化優先」と設定されていた場合には、「（２）ＦＧ保持強度」の設定項目を「弱（保持しない）」に変更する。一方、「（７）優先度設定」の設定項目が変更されていない場合には（ステップＳ２０７，Ｎｏ）、設定情報管理部は、設定値の設定情報テーブルへの反映を行わない。
【００９９】
続いて、設定情報管理部は、「（３）適応的ＦＧ保持機能」の設定項目が変更されているか否かを確認し、変更されている場合には（ステップＳ２０９，Ｙｅｓ）、設定値をＯＮまたはＯＦＦのいずれかに切り替えて、設定情報テーブルに反映する（ステップＳ２１０）。一方、「（３）適応的ＦＧ保持機能」の設定項目が変更されていない場合には（ステップＳ２０９，Ｎｏ）、設定情報管理部は、設定値の設定情報テーブルへの反映を行わない。
【０１００】
続いて、設定情報管理部は、「（４）設定変化の滑らかさ」の設定項目が変更されているか否かを確認し、変更されている場合には（ステップＳ２１１，Ｙｅｓ）、入力された設定値を設定情報テーブルに反映する（ステップＳ２１２）。一方、「（４）設定変化の滑らかさ」の設定項目が変更されていない場合には（ステップＳ２１１，Ｎｏ）、設定情報管理部は、設定値の設定情報テーブルへの反映を行わない。
【０１０１】
続いて、設定情報管理部は、「（５）設定変更速度」の設定項目が変更されているか否かを確認し、変更されている場合には（ステップＳ２１３，Ｙｅｓ）、入力された設定値を設定情報テーブルに反映する（ステップＳ２１４）。一方、「（５）設定変更速度」の設定項目が変更されていない場合には（ステップＳ２１３，Ｎｏ）、設定情報管理部は、設定値の設定情報テーブルへの反映を行わない。
【０１０２】
続いて、設定情報管理部は、「（６）ＦＧ反応速度設定」の設定項目が変更されているか否かを確認し、変更されている場合には（ステップＳ２１５，Ｙｅｓ）、入力された設定値を設定情報テーブルに反映する（ステップＳ２１６）。一方、「（６）ＦＧ反応速度設定」の設定項目が変更されていない場合には（ステップＳ２１５，Ｎｏ）、設定情報管理部は、設定値の設定情報テーブルへの反映を行わない。
【０１０３】
なお、各設定項目の確認順は、ここで説明した順番に限られず、ステップＳ２０５以降の設定項目については、順不同としてよい。
【０１０４】
上述してきたように、本実施例４では、フィルムグレインを保持するための各種処理および各種制御に関する設定情報を利用者が任意に変更することができるようにしたので、利用者の好みに合わせた映像表示を実現することができる。特に、設定変更時間を利用者に設定させるので、映像データの変化に応じた画質の切り替えの速さを利用者の好みに合わせて調整することができ、また、反応設定時間を利用者に設定させるので、映像データが変化してから画質を変化させるまでの反応の速さを利用者の好みに合わせて変更することができる。
【０１０５】
なお、上記実施例１〜４では、ノイズ除去装置について説明したが、ノイズ除去装置が有する構成の一部をソフトウェアによって実現することで、ノイズ除去制御プログラムを得ることができる。このノイズ除去制御プログラムは、図１に示したフィルム判定部４０４および制御部４１２の機能を有する。以下に、ノイズ除去制御プログラムを実行するコンピュータについて説明する。
【０１０６】
図８は、本実施例１〜４に係るノイズ除去制御プログラムを実行するコンピュータの構成を示す機能ブロック図である。同図に示すように、このコンピュータ５００は、ＲＯＭ（Read Only Memory）５１０と、ＣＰＵ（Central Processing Unit）５２０と、ＲＡＭ（Random Access Memory）５３０と、入力インタフェース５４０と、出力インタフェース５５０とを有する。
【０１０７】
ＲＯＭ５１０は、プログラムや、プログラムの実行に必要なデータを格納するメモリであり、ＣＰＵ５２０は、ＲＯＭ５１０からプログラムを読み出して実行する中央処理装置である。
【０１０８】
ＲＡＭ５３０は、プログラムを実行した際に生成されるデータや、入力された映像データなどを格納するディスク装置である。このＲＡＭ５３０は、図１に示したメモリ４０３に対応する。
【０１０９】
入力インタフェース５４０は、操作パネルなどの入力装置を接続するためのインタフェースであり、出力インタフェース５５０は、表示装置を接続するためのインタフェースである。
【０１１０】
そして、このコンピュータ５００において実行されるノイズ除去制御プログラム５１１は、ノイズ除去装置の製造工程等においてあらかじめインストールされる。そして、インストールされたノイズ除去制御プログラム５１１は、ＲＯＭ５１０に記憶され、ＣＰＵ５２０によってノイズ除去制御プロセス５２１として実行される。
【０１１１】
また、本実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１２】
この他、上記文書中や図面中で示した処理手順、制御手順、具体的名称、各種のデータやパラメータを含む情報については、特記する場合を除いて任意に変更することができる。
【０１１３】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１４】
（付記１）入力された映像データのノイズを除去するノイズ除去装置であって、
前記映像データがフィルム撮影された映像の映像データであるか否かを判定するフィルム判定手段と、
前記フィルム判定手段により判定された結果に基づいて、前記映像データのノイズを除去する度合いを決定する度合決定手段と、
前記度合決定手段により決定された度合いに基づいて、前記映像データのノイズを除去するノイズ除去手段と、
を備えたことを特徴とするノイズ除去装置。
【０１１５】
（付記２）前記度合決定手段は、前記フィルム判定手段により前記映像データがフィルム撮影された映像の映像データでないと判定された場合に、該映像データのノイズを所定の度合いで除去すると決定し、一方、前記映像データがフィルム撮影された映像の映像データであると判定された場合には、該映像データのノイズを除去しないと決定することを特徴とする付記１に記載のノイズ除去装置。
【０１１６】
（付記３）前記度合決定手段は、前記フィルム判定手段により前記映像データがフィルム撮影された映像の映像データでないと判定された場合に、該映像データのノイズを除去する度合いを第一の度合いに決定し、一方、前記映像データがフィルム撮影された映像の映像データであると判定された場合には、該映像データのノイズを除去する度合いを、該第一の度合いより低い第二の度合いに決定することを特徴とする付記１に記載のノイズ除去装置。
【０１１７】
（付記４）前記フィルム判定手段は、前記映像データがフィルム撮影された映像の映像データである可能性を示す確信度を算出し、
前記度合決定手段は、前記フィルム判定手段により算出された確信度に基づいて前記第二の度合いを決定することを特徴とする付記３に記載のノイズ除去装置。
【０１１８】
（付記５）前記ノイズ除去手段は、前記映像データのノイズを除去する度合いを前記第一の度合いから前記第二の度合いに変更する場合または前記第二の度合いから前記第一の度合いに変更する場合に、所定の設定変更時間で該第一の度合いから該第二の度合いまたは該第二の度合いから該第一の度合いへ変化するように、徐々に度合いを変更することを特徴とする付記１〜４のいずれか一つに記載のノイズ除去装置。
【０１１９】
（付記６）前記制御手段は、所定の反応設定時間が経過する間に前記フィルム判定手段による判定結果が変化しなかった場合に、該判定結果に基づいて、前記映像データのノイズを除去する度合いを決定することを特徴とする付記１〜５のいずれか一つに記載のノイズ除去装置。
【０１２０】
（付記７）確信度の領域が、確信度が高い高確信度領域と、確信度が低い低確信度領域と、それらの中間の中確信度領域とに分けられており、
前記度合決定手段は、該中確信度領域における第二の度合いの変化率が高確信度領域および低確信度領域における第二の度合いの変化率よりも低くなるように第二の度合いが設定された設定情報に基づいて、前記第二の度合いを決定することを特徴とする付記４に記載のノイズ除去装置。
【０１２１】
（付記８）前記設定変更時間を利用者に設定させる設定変更時間設定手段をさらに備えたことを特徴とする付記５に記載のノイズ除去装置。
【０１２２】
（付記９）前記反応設定時間を利用者に設定させる反応設定時間設定手段をさらに備えたことを特徴とする付記６に記載のノイズ除去装置。
【０１２３】
（付記１０）前記度合決定手段は、前記フィルム判定手段により判定された結果に基づいて、前記映像データを平滑化する場合の平滑化の度合いを示す平滑化度合いをさらに決定し、
前記度合決定手段により決定された平滑化度合いに基づいて、前記映像データの平滑化を行う平滑化手段をさらに備えたことを特徴とする付記１〜９のいずれか一つに記載のノイズ除去装置。
【０１２４】
（付記１１）入力された映像データのノイズを除去するノイズ除去制御方法であって、
前記映像データがフィルム撮影された映像の映像データであるか否かを判定するフィルム判定工程と、
前記フィルム判定工程により判定された結果に基づいて、前記映像データのノイズを除去する度合いを決定する度合決定工程と、
前記度合決定工程により決定された度合いに基づいて、前記映像データのノイズを除去するノイズ除去工程と、
を含んだことを特徴とするノイズ除去制御方法。
【０１２５】
（付記１２）入力された映像データのノイズを除去するノイズ除去制御プログラムであって、
前記映像データがフィルム撮影された映像の映像データであるか否かを判定するフィルム判定手順と、
前記フィルム判定手順により判定された結果に基づいて、前記映像データのノイズを除去する度合いを決定する度合決定手順と、
前記度合決定手順により決定された度合いに基づいて、前記映像データのノイズを除去するノイズ除去手順と、
をコンピュータに実行させることを特徴とするノイズ除去制御プログラム。
【産業上の利用可能性】
【０１２６】
以上のように、本発明に係るノイズ除去装置、ノイズ除去制御方法およびノイズ除去制御プログラムは、ノイズ除去の強度を制御してフィルム映像の質感を保持する場合に有用であり、特に、ハードウェアの規模を過度に増大させずに、簡易な機能構成でフィルム映像の質感を保持したい場合に適している。
【図面の簡単な説明】
【０１２７】
【図１】本実施例１に係るノイズ除去装置の構成を示す機能ブロック図である。
【図２】本実施例１に係るノイズ除去装置の処理手順を示すフローチャートである。
【図３】本実施例２に係るノイズ除去処理の強度の変化を説明するための図である。
【図４】本実施例３に係るノイズ除去処理の強度の変化を説明するための図（１）である。
【図５】本実施例３に係るノイズ除去処理の強度の変化を説明するための図（２）である。
【図６】本実施例４に係る操作画面の一例を示す図である。
【図７】本実施例４に係る操作画面および設定情報管理部の処理手順を示すフローチャートである。
【図８】本実施例１〜４に係るノイズ除去制御プログラムを実行するコンピュータの構成を示す機能ブロック図である。
【図９】従来の高画質化技術を説明するための図である。
【図１０】特許文献１に係る技術を説明するための図である。
【図１１】特許文献２に係る技術を説明するための図である。
【符号の説明】
【０１２８】
１００，２００，３００，４００    ノイズ除去装置
１０１，４０１    映像入力部
１０２，４０２    ノイズ除去部
１０３，２０３ａ，２０３ｂ，４０３    メモリ
１０４，４０４    フィルム判定部
１０５，４０５    Ｉ／Ｐ変換部
１０５ａ，４０５ａ    フィルム用Ｉ／Ｐ変換部
１０５ｂ，４０５ｂ    一般用Ｉ／Ｐ変換部
１０６，４０６    映像出力部
３０７    ＦＧ成分検出部
３０８    遅延調整メモリ
３０９    ＦＧ用Ｉ／Ｐ変換部
３１０    重畳部
４１１ａ，４１１ｂ    平滑部
４１２    制御部
５００    コンピュータ
５１０    ＲＯＭ
５１１    ノイズ除去制御プログラム
５２０    ＣＰＵ
５２１    ノイズ除去制御プロセス
５３０    ＲＡＭ
５４０    入力インタフェース
５５０    出力インタフェース
【図１】
2008035439.tif 000003
【図２】
2008035439.tif 000004
【図３】
2008035439.tif 000005
【図４】
2008035439.tif 000006
【図５】
2008035439.tif 000007
【図６】
2008035439.tif 000008
【図７】
2008035439.tif 000009
【図８】
2008035439.tif 000010
【図９】
2008035439.tif 000011
【図１０】
2008035439.tif 000012
【図１１】
2008035439.tif 000013